(57)【要約】【課題】背凭れ部とフットレストを連動して移動可能としつつも、姿勢の自由度を確保できる椅子を提供する。【解決手段】使用者が着座する座部２と、使用者が凭れるリクライニング可能な背凭れ部３と、使用者の脚部または足部を支持し、上下揺動又は出退可能なフットレスト４と、背凭れ部３を移動させるアクチュエータ９と、背凭れ部３の移動に連動してフットレスト４を移動させることができる連動部材２０と、を有している。連動部材２０は、背凭れ部３のみが移動する非連動状態から、背凭れ部３の移動に連動してフットレスト４が移動する連動状態に切り替え可能である。【選択図】      図１０
2015066194.tif 000002
【特許請求の範囲】
【請求項１】
使用者が着座する座部と、
使用者が凭れるリクライニング可能な背凭れ部と、
使用者の脚部または足部を支持し、上下揺動又は出退可能なフットレストと、
前記背凭れ部を移動させるアクチュエータと、
前記背凭れ部の移動に連動して前記フットレストを移動させることができる連動部材と、を有し、
前記連動部材は、前記背凭れ部のみが移動する非連動状態から、前記背凭れ部の移動に連動して前記フットレストが移動する連動状態に切り替え可能であることを特徴とする椅子。
【請求項２】
前記連動状態においては、前記背凭れ部の後方へのリクライニングに連動して前記フットレストが上昇又は進出し、前記背凭れ部の前方への起立に連動して前記フットレストが下降又は後退することを特徴とする請求項１に記載の椅子。
【請求項３】
前記非連動状態においては、前記背凭れ部をリクライニングさせ前記フットレストを下降又は後退させた輸送姿勢とすることができることを特徴とする請求項１又は２に記載の椅子。
【請求項４】
前記連動部材は、輸送姿勢にある前記背凭れ部を起立させる動作により、前記非連動状態から前記連動状態に切り替わるよう構成されていることを特徴とする請求項３に記載の椅子。
【請求項５】
前記連動部材は、
前記背凭れ部側と前記フットレスト側を連結し、
伸長又は収縮可能であって、
所定の長さで維持するロック機構を有し、
前記連動部材を所定の長さに維持することにより前記連動状態とすることができる請求項１〜４のいずれかに記載の椅子。
【発明の詳細な説明】
【技術分野】
【０００１】
本発明は椅子に関する。
【背景技術】
【０００２】
従来、椅子型マッサージ機１として、座部３、背もたれ部２、及びフットレスト５を備えたものが知られている。この椅子型マッサージ機１は、背もたれ部２の傾動と連動してフットレスト５の座部３に対する角度を変化させるフットレスト角度連動機構ｆを有している。そして、アクチュエータ６を伸縮駆動させて、背もたれ部２を後方へリクライニングさせると、フットレスト５が上方へ揺動し、背もたれ部２を起立させると、フットレストが下方へ揺動する（例えば、特許文献１の図２〜図４参照）。
【０００３】
また、椅子型マッサージ機１として、座部２、背もたれ部３、及びフットレスト部４を備え、背もたれ部３がフットレスト部４の揺動に連動して揺動する連動状態と、背もたれ部３が揺動せずにフットレスト部４のみが揺動する非連動状態とに切り替える切替機構２８を備えたものが知られている。この椅子型マッサージ機１は、連動状態においては、フットレスト部４の上方揺動に連動して、背もたれ部３が後方へリクライニングする。また、非連動状態に切り替えることにより、フットレスト部４のみを揺動させることができる（例えば、特許文献２の図２及び図３参照）。
【先行技術文献】
【特許文献】
【０００４】
【特許文献１】特開２００６−３４６２７２号公報
【特許文献２】特開２０１０−１６２３３７号公報
【発明の概要】
【発明が解決しようとする課題】
【０００５】
上記特許文献１に開示された椅子型マッサージ機１は、単一のアクチュエータ６であっても、背もたれ部２とフットレスト４を移動させることができるが、椅子型マッサージ機１の姿勢が制限されてしまうという問題がある。この点、上記特許文献２に開示されたマッサージ機１は、単一の駆動部１０であっても、切替機構２８により非連動状態に切り替えれば、フットレスト部４の移動は制限されない。しかし、連動状態と非連動状態の切り替えは、フットレスト部４が垂れ下がった位置にあるときに許容されているため、非連動状態であっても背もたれ部３の姿勢は起立した状態に制限されてしまう。
【０００６】
そこで本発明は、上述した問題を解消するためになされたものであり、背凭れ部とフットレストを連動して移動可能としつつも、姿勢の自由度を確保できる椅子を提供することを目的とする。
【課題を解決するための手段】
【０００７】
本発明は、使用者が着座する座部と、使用者が凭れるリクライニング可能な背凭れ部と、使用者の脚部または足部を支持し、上下揺動又は出退可能なフットレストと、前記背凭れ部を移動させるアクチュエータと、前記背凭れ部の移動に連動して前記フットレストを移動させることができる連動部材と、を有し、前記連動部材は、前記背凭れ部のみが移動する非連動状態から、前記背凭れ部の移動に連動して前記フットレストが移動する連動状態に切り替え可能であることを特徴とする。
このような構成とすることにより、単一のアクチュエータであっても背凭れ部とフットレストを連動して移動させることができる。また、背凭れ部のみを移動させることもでき、椅子の姿勢の自由度を高めることができる。
【０００８】
この場合、前記連動状態においては、前記背凭れ部の後方へのリクライニングに連動して前記フットレストが上昇又は進出し、前記背凭れ部の前方への起立に連動して前記フットレストが下降又は後退することが好ましい。
このような構成とすることにより、椅子の使用に適した姿勢とすることができる。すなわち、背凭れ部が起立してフットレストが下降した起立姿勢や、背凭れ部がリクライニングしてフットレストが上昇したリクライニング姿勢として、使用者がリラックスした姿勢で椅子を使用できる。
【０００９】
また、前記非連動状態においては、前記背凭れ部をリクライニングさせ前記フットレストを下降させた輸送姿勢とすることができることが好ましい。
このような構成とすることにより、椅子の高さ及び前後寸法を抑えることができ、椅子を梱包して輸送する際に有利である。
【００１０】
この場合、前記連動部材は、輸送姿勢にある前記背凭れ部を起立させる動作により、前記非連動状態から前記連動状態に切り替わるよう構成されていることが好ましい。
このような構成とすることにより、背凭れ部を起立させる動作を行うという簡単な操作で、使用に適した連動状態に切り替えることができる。
【００１１】
また、前記連動部材は、前記背凭れ部側と前記フットレスト側を連結し、伸長又は収縮可能であって、所定の長さで維持するロック機構を有し、前記連動部材を所定の長さに維持することにより前記連動状態とすることができることが好ましい。
このような構成とすることにより、連動部材が伸長又は収縮可能な状態にあっては、非連動状態とすることができ、連動部材が所定の長さで維持された状態にあっては、連動状態とすることができる。
【発明の効果】
【００１２】
本発明によれば、背凭れ部とフットレストを連動して移動可能としつつも、椅子の姿勢の自由度を確保できる。
【図面の簡単な説明】
【００１３】
【図１】本発明の一実施形態に係る椅子の斜視図である。
【図２】起立姿勢の椅子の側面図である。
【図３】リクライニング姿勢の椅子の側面図である。
【図４】輸送姿勢の椅子の側面図である。
【図５】フットレスト及びリンク部材の上部フレームに対する連結構造を示す説明図である。
【図６】組立状態の脚フレームの斜視図である。
【図７】組立状態の脚フレームの斜視図であり、上壁部及び左側の側壁部を省略して示している。
【図８】展開状態の脚フレームの斜視図である。
【図９】固定フレーム及び移動フレームの斜視図である。
【図１０】連動部材の斜視図であり、（ａ）は所定の長さでロックされた状態、（ｂ）は最も収縮した状態を示している。
【図１１】他の実施形態に係る展開状態の脚フレームの平面図である。
【図１２】他の実施形態に係る椅子の側面図であり、（ａ）は起立姿勢、（ｂ）はリクライニング姿勢、（ｃ）は輸送姿勢をそれぞれ示している。
【発明を実施するための形態】
【００１４】
［全体構成］
以下、本発明の椅子１の全体構成について説明する。
図１は本発明の一実施形態に係る椅子１の斜視図である。図２は起立姿勢の椅子１の側面図である。図３はリクライニング姿勢の椅子１の側面図である。図４は輸送姿勢の椅子１の側面図である。図５はフットレスト４及びリンク部材１４の上部フレーム９０に対する連結構造を示す説明図である。なお、図２〜図４においては、後述する肘掛け部５、側壁部６４、及び前壁部６５を省略して図示している。
以下の説明で用いる方向の概念は、図１及び図２に示す起立姿勢の椅子１に着座した使用者から見たときの方向の概念と一致するものとし、その他の場合は適宜説明するものとする。
【００１５】
図１に示すとおり、本発明の椅子１は、主として、使用者が着座する座部２と、座部２の後部にリクライニング可能に設けられた使用者が凭れる背凭れ部３と、座部２の前部に上下揺動可能に設けられた使用者の脚部及び足部を支持するフットレスト４と、座部２の左右両側に設けられた使用者が腕部を載置する肘掛け部５と、座部２を支持するとともに床面に設置される脚フレーム６と、を有している。
【００１６】
図１に示すとおり、背凭れ部３内には、身長方向に沿って昇降可能に構成されて使用者の背部をマッサージするマッサージ手段としてマッサージユニット７が設けられている。マッサージユニット７は、左右で対をなす施療子７ａを有している。この対の施療子７ａが近接離反して揉みマッサージを行い、対の施療子７ａが交互に進退して叩きマッサージを行うことができる。また、座部２及びフットレスト４には、エアの給排気により膨張収縮し、対応する部位をそれぞれマッサージするマッサージ手段としてのエアセル８が設けられている。すなわち、本実施形態の椅子１はマッサージ機能を有している。
【００１７】
図２〜図４に示すとおり、座部２の下方に設けられ前後方向に伸縮する直動式のアクチュエータ９により、背凭れ部３は座部２に対して前後方向に移動（リクライニング）可能に構成されており、フットレスト４は座部２に対して上下方向に揺動可能に構成されている。背凭れ部３とフットレスト４は連動して移動するよう構成されており、背凭れ部３が起立してフットレスト４が下降した起立姿勢（図２参照）と、背凭れ部３がリクライニングしてフットレスト４が上昇したリクライニング姿勢（図３参照）と、の間における任意の位置で停止できるようになっている。また、椅子１を梱包して輸送するときは、背凭れ部３がリクライニングしてフットレスト４が下降した輸送姿勢（図４参照）とすることができる。
【００１８】
［脚フレームの構成］
以下、脚フレーム６の構成について説明する。
図６は組立状態の脚フレーム６の斜視図である。図７は組立状態の脚フレーム６の斜視図であり、上壁部６６及び左側の側壁部６４を省略して示している。図８は展開状態の脚フレーム６の斜視図である。
脚フレーム６は、床面に載置された底壁部６３と、底壁部６３の左右両側から立設された側壁部６４と、底壁部６３の前部から立設された前壁部６５と、底壁部６３から上下方向に所定距離を存して設けられた上壁部６６と、により構成されている。これら各壁部６３〜６６は、ブロー成型によって板状に成型された樹脂により構成されている。
【００１９】
図８に示すとおり、底壁部６３と両側壁部６４は、互いの境界にヒンジ部６７を含めて第１部品６１として一体的に成型されており、前壁部６５と上壁部６６は、互いの境界にヒンジ部６７を含めて第２部品６２として一体的に成型されている。このヒンジ部６７は、各壁部６３〜６６と同一の材質（樹脂）であり、各壁部６３〜６６よりも板厚方向に薄肉に構成されている。従って、底壁部６３と両側壁部６４を１つの金型で一体的に成型し、前壁部６５と上壁部６６を１つの金型で一体的に成型することができる。すなわち、１つの金型で複数の壁部を成型することができる。そして、一体的に成型された第１部品６１及び第２部品６２を、略面一の展開状態からヒンジ部６７を介して回動させて略垂直となる組立状態とすることにより、椅子１の脚フレーム６が構成される。
【００２０】
また、第１部品６１と第２部品６２には、両部品６１，６２を固定する固定部６８が設けられている。この固定部６８について詳述する。
図６〜図８に示すとおり、組立状態における前壁部６５の底面及び両側面に凸部６９が設けられ、組立状態における底壁部６３の上面と側壁部の内側面に凸部６９が嵌る凹部７０が設けられている。また、上壁部６６の両側面には、左右外方へ突出した位置決め片７１が設けられ、組立状態における側壁部６４の上面には、位置決め片７１が嵌る位置決め凹部７２が設けられている。また、位置決め凹部７２には上方に突出した凸部７３及びビス孔７４が、位置決め片７１には凸部７３が嵌る凹部７５及びビス孔７６がそれぞれ設けられている。また、組立状態における前壁部６５には、後述する連動部材２０が出退するための前後方向に開口する開口部７７が設けられている。
【００２１】
そして、前壁部６５の底面の凸部６９を底壁部６３の上面の凹部７０に嵌合させた状態で、側壁部６４を展開状態から回動させて前壁部６５の側面の凸部６９を側壁部６４の内側面の凹部７０に嵌合させる。次に、上壁部６６を展開状態から回動させて上壁部６６の位置決め片７１を側壁部６４の位置決め凹部７２内に位置させ、側壁部６４の凸部７３を上壁部６６の凹部７５に嵌合させる。次に、ビス孔７４，７６にビス（図示せず）を挿通させて、第１部品６１と第２部品６２を固定することにより、組立状態の脚フレーム６が構成される。このように、凸部６９、７３、凹部７０，７５、位置決め片７１、位置決め凹部７２、ビス孔７４，７６、及びビス（図示せず）により、第１部品６１と第２部品６２を固定する固定部６８が構成されている。
【００２２】
脚フレーム６は、固定部６８の操作により第１部品６１と第２部品６２の固定を解除して、組立状態から上壁部６６を回動させることにより、上方を開放させることができる。また、脚フレーム６は、組立状態から第２部品６２を取り外すことにより、前方及び上方を開放させることができる。従って、各壁部６３〜６６に囲まれた空間に位置する部品（例えば、アクチュエータ９）のメンテナンスを容易に行うことができる。
【００２３】
図７に示すとおり、脚フレーム６は、第１部品６１の内面側に設けられ、背凭れ部３をリクライニング可能に支持する後部フレーム８０を有している。この後部フレーム８０は、正面視で略Ｕ字状の金属よりなる部材であり、前壁部６５よりも後方において、左右の側壁部６４と底壁部６３に亘って設けられている。なお、後部フレーム８０は、左右の側壁部６４と底壁部６３にビス等により固定されている。そして、後部フレーム８０は、上部左右に背凭れ部３を枢支する軸受け部８１を有している。
【００２４】
図７に示すとおり、脚フレーム６は、その前部上方においてフットレスト４を上下揺動可能に支持する上部フレーム９０を有している。この上部フレーム９０は、金属よりなる部材であり、前壁部６５の後方において左右の側壁部６４を連結する左右方向に延設された連結部９１と、連結部９１の左右両端部に設けられたフットレスト４を枢支するブラケット９２と、連結部９１の左右略中央部に設けられたアクチュエータ９を枢支するブラケット９３と、を有している。上部フレーム９０は、左右の側壁部６４にビス等により固定されている。
【００２５】
このように、各壁部６３〜６６を前、左右、上下に位置させて組み付けているため、脚フレーム６を樹脂で構成していても、使用者からの負荷を分散させて十分な強度を確保できる。しかも、金属で構成された後部フレーム８０と上部フレーム９０も組み付けているため、脚フレーム６全体の強度を更に高めることができる。また、特に強度が要求される背凭れ部３又はフットレスト４と脚フレーム６の連結部を金属で構成しているため、当該部分に対して十分な強度を確保できる。
【００２６】
底壁部６３における後部フレーム８０よりも後方位置である載置面６３ａには、エアセル８に対してエアを給排気するポンプ及びバルブよりなる給排気装置（図示せず）と、マッサージユニット７や給排気装置等の動作制御を行うための制御部（図示せず）と、が設けられている。そして、図２〜図４に示すとおり、給排気装置及び制御部を保護すべく、底壁部６３の載置面６３ａに樹脂等よりなるカバー部７８が取り付けられている。このように、載置面６３ａが背凭れ部３よりも後方に位置しているため、座部２の下方に潜り込むことなく、給排気装置や制御部のメンテナンスを容易に行うことができる。
【００２７】
［座部の構成］
図１に示すとおり、座部２は、ウレタン等よりなるクッション材２ａと、クッション材を被覆する合皮等よりなるカバー部材（図示せず）と、により構成されている。座部２には、使用者の臀部又は大腿部をマッサージするエアセル８が内装されている。この座部２は、上壁部６６に載置されることにより、脚フレーム６に支持されている。このように、前述した脚フレーム６が座部２を支持しているため、椅子１は使用者の身体を安定して支持することができる。
【００２８】
［背凭れ部の構成］
図１に示すとおり、背凭れ部３は、中央部にマッサージユニット７を昇降可能として収容する開口部３ａと、上端部及び両側部に使用者の背部を支持する身体支持部３ｂと、を有し、ブロー成型によって一体的に成型された樹脂により構成されている。そして、両側部の身体支持部３ｂには、マッサージユニット７を昇降可能に支持するガイド機構（図示せず）が設けられている。
【００２９】
図２及び図３に示すとおり、背凭れ部３は、その下部において後部フレーム８０の軸受け部８１に枢支されており、リクライニング支点Ｃ１を中心としてリクライニング可能である。また、背凭れ部３の下部には、アクチュエータ９の後部が枢支されるブラケット１２を有している。このアクチュエータ９は、モータ駆動により伸縮する直動式のアクチュエータである。そして、アクチュエータ９の前部は上部フレーム９０に枢支されており、アクチュエータ９を伸長させると背凭れ部３は前方へ起立し、アクチュエータ９を収縮させると背凭れ部３は後方へリクライニングする。
【００３０】
［フットレストの構成］
図９は固定フレーム４０及び移動フレーム４１の斜視図である。図１０は連動部材２０の斜視図であり、（ａ）は所定の長さでロックされた状態、（ｂ）は最も収縮した状態を示している。
図２、図３、及び図９に示すとおり、フットレスト４は、脚フレーム６に連結された固定フレーム４０と、固定フレーム４０に対して脚の長さ方向に移動可能に支持された移動フレーム４１と、移動フレーム４１に固着されたフットレスト部４２と、を有している。固定フレーム４０は、板状に構成された金属又は樹脂等よりなり、その上部が上部フレーム９０のブラケット９２に枢支されている。すなわち、フットレスト４は、揺動支点Ｃ２を中心として上下揺動可能である。また、固定フレーム４０の左右両側には、脚の長さ方向に延設されたガイドレール４３が設けられている。そして、金属又は樹脂等よりなる移動フレーム４１が、固定フレーム４０に対してガイドレール４３によって移動可能に支持されている。移動フレーム４１の足先側下端には、床面を転動する車輪４４が設けられている。
【００３１】
図１に示すとおり、移動フレーム４１には、使用者の脚部乃至足部を片脚毎に振り分けて支持するフットレスト部４２が固着されている。このフットレスト部４２は、足裏に対向する底壁４２ａと、脚の外側面に対向する側壁４２ｂと、脚の内側面に対向する中間壁４２ｃと、脚の後面に対向する後壁４２ｄと、がブロー成型により一体的に構成されている。すなわち、フットレスト部４２は樹脂により構成されている。そして、各壁４２ａ〜４２ｄには、脚部乃至足部における対応する施療部位をマッサージするエアセル８が設けられている。
【００３２】
図９に示すとおり、固定フレーム４０と移動フレーム４１の間には、移動フレーム４１を上方へ付勢する付勢手段（バネ）４５が設けられている。従って、底壁４２ａに足裏を当接させて付勢手段４５による付勢力に抗して脚を伸ばせば、フットレスト部４２は移動フレーム４１とともに足先側へ移動し、底壁４２ａから足裏を離反させれば、フットレスト部４２は上方へ復帰する。このように、簡単な構成でフットレスト４の位置を脚の長さに対応させることができる。
【００３３】
図２及び図３に示すとおり、フットレスト４の後面側には、フットレスト４を上下揺動させるリンク部材１４が設けられている。このリンク部材１４は、座部２の前部においてブラケット９３に枢支され、上下方向に延設されている。リンク部材１４の下部には、フットレスト４の後面に当接して転動するローラ１５が設けられている。また、リンク部材１４の上下方向における中途部には、背凭れ部３のリクライニングに連動して、リンク部材１４を上下揺動させる連動部材２０が連結されている。この連動部材２０は、後端部が背凭れ部３に設けられたブラケット１２に枢支され、前端部がリンク部材１４に枢支されている。従って、背凭れ部３の後方へのリクライニングに連動して、リンク部材１４が揺動支点Ｃ３を中心として上方揺動してフットレスト４が上昇し、背凭れ部３の前方への起立に連動して、リンク部材１４が揺動支点Ｃ３を中心として下方揺動してフットレスト４が下降する。
【００３４】
リンク部材１４の下端部に設けられたローラ１５は、ゴム等よりなり弾性を有している。従って、フットレスト４を上昇させた状態で、フットレストに上方から異常荷重が作用しても、フットレスト４又はリンク部材１４の揺動支点Ｃ２，Ｃ３にかかる負荷をローラ１５が弾性変形して吸収できる。また、図５に示すとおり、フットレスト４の揺動支点Ｃ２とブラケット９２の間、あるいはリンク部材１４の揺動支点Ｃ３とブラケット９３の間に、ゴムブッシュ等よりなる環状の弾性体１６を介在させてもよく、揺動支点Ｃ２，Ｃ３に作用する負荷を更に軽減できる。
【００３５】
前述したとおり、本実施形態に係る椅子１は、背凭れ部３とフットレスト４の間に設けた連動部材２０により、背凭れ部３の起立に連動してフットレスト４は下降し、背凭れ部３のリクライニングに連動してフットレスト４は上昇するよう構成されている。従って、単一のアクチュエータ９で、背凭れ部３とフットレスト４を椅子１の使用に適した姿勢とすることができる。しかし、椅子１を梱包して輸送するときは、図４に示すように背凭れ部３をリクライニングさせフットレスト４を下降させた状態として、高さ及び前後寸法を抑えることが望ましい。このような問題を解消するために、以下で説明するように連動部材２０を構成している。
【００３６】
［連動部材の構成］
図１０に示すとおり、連動部材２０は、背凭れ部３側に連結された第１部材２１と、フットレスト４側であるリンク部材１４に連結された第２部材２２と、が前後方向において相互に移動可能として連結されており、全体として前後方向に伸長又は収縮可能である。そして、連動部材２０は、第１部材２１の移動をロックすることにより、所定の長さで維持するロック機構２３を有している。この連動部材２０は、背凭れ部３がリクライニングし、フットレスト４が下降した状態において最も短くなるように設定し、背凭れ部３とフットレスト４の間に設けられている。
【００３７】
第１部材２１は、その後部が背凭れ部３の下部に設けられたブラケット１２に枢支され、第２部材２２は、その前部がリンク部材１４に枢支され、第１部材２１が第２部材２２に対して前後方向にスライド可能に連結されている。第２部材２２には、前後方向に沿った長孔２２ａが設けられており、この長孔２２ａの後部から上下方向（本実施形態では上方）に切り欠いた係合溝２２ｂが設けられている。第１部材２１には、長孔２２ａに挿通する摺動ピン２１ａが前後方向に複数（本実施形態では２本）設けられている。このように、第２部材２２の長孔２２ａに複数の摺動ピン２１ａが挿通されているため、第１部材２１を安定して移動させることができる。
【００３８】
また、第１部材２１には、左右方向の軸心Ｃ４回りに揺動して、後側の摺動ピン２１ａを上下方向（本実施形態では上方）に付勢する付勢部２４が設けられている。この付勢部２４は、前側が上方揺動するようにバネ２５により付勢されている。従って、第１部材２１が、背凭れ部３の起立に応じて、後側の摺動ピン２１ａが係合溝２２ｂに対応する位置まで後方移動すると、摺動ピン２１ａが付勢部２４に付勢されて係合溝２２ｂに係合し、第１部材２１の移動がロックされる。すなわち、係合溝２２ｂ、摺動ピン２１ａ、及び付勢部２４によりロック機構２３が構成されている。なお、連動部材２０は、第１部材２１と第２部材２２の前後位置を逆にして、第１部材２１をフットレスト４側であるリンク部材１４に連結し、第２部材２２を背凭れ部３側に連結するよう構成してもよい。
【００３９】
以下、輸送時から使用時までの椅子１の状態変化について説明する。
図４に示すとおり、椅子１を輸送するときは、背凭れ部３をリクライニングさせフットレスト４を下降させた状態である。この際、図１０（ｂ）に示すように、連動部材２０は最も短縮した状態である。そして、椅子１を家屋等の使用環境に搬入してから、背凭れ部３を起立させるようアクチュエータ９を駆動させる。そうすると、背凭れ部３の動作に応じて第１部材２１が後方へ移動し、図１０（ａ）に示すように、ロック機構２３により連動部材２０が所定の長さで維持される。連動部材２０がいったんロックされると、アクチュエータ９を如何に駆動しようとも第１部材２１は移動しない。従って、この後に背凭れ部３をリクライニングさせると、連動部材２０によりリンク部材１４が前方へ押し出され、フットレスト４が上昇する。また、背凭れ部３を起立させると、連動部材２０によりリンク部材１４が後方へ引っ張られ、フットレスト４が下降する。このように、輸送姿勢から起立姿勢までの間は、背凭れ部３のみが移動する非連動状態であり、輸送姿勢から起立姿勢になると、以後は背凭れ部３とフットレスト４が連動して移動する連動状態に切り替わり、起立姿勢とリクライニング姿勢の間を状態遷移することとなる。
【００４０】
［肘掛け部の構成］
図１に示すとおり、肘掛け部５は、ブロー成型により左右方向に板面を有する板状に構成されており、上部に使用者の腕部を載せることができる腕載せ面５ａを有している。この肘掛け部５の内側面には、肘掛け部５を脚フレーム６の側壁部６４に取り付けるためのブラケット９４が設けられている。肘掛け部５は、その内側面を側壁部６４に対向させた状態で、ビス等によりブラケット９４を介して脚フレーム６に固定される。なお、腕載せ面５ａには使用者の腕部をマッサージするマッサージ手段が設けてあってもよい。
【００４１】
［脚フレームの他の実施形態］
以下、脚フレームに関し、他の実施形態について説明する。
図１１は他の実施形態に係る展開状態の脚フレーム６０の平面図である。なお、前述した脚フレーム６と同様の構成については、同一の符号を付してその説明を省略する。
脚フレーム６０は、脚フレーム６のように第１部品６１と第２部品６２を別体とせず、底壁部６３、側壁部６４、前壁部６５、及び上壁部６６が、それぞれの境界にヒンジ部６７を含めて一体的に成型されている。すなわち、１つの金型で脚フレーム６０が成型されている。従って、脚フレーム６０は、第１部品６１と第２部品６２を結合させる工程を省略でき、脚フレーム６に比べて少ない作業工程で組立状態とすることができる。
【００４２】
［椅子の他の実施形態］
以下、椅子に関し、他の実施形態について説明する。
図１２は他の実施形態に係る椅子１１の側面図であり、（ａ）は起立姿勢、（ｂ）はリクライニング姿勢、（ｃ）は輸送姿勢をそれぞれ示している。なお、前述した椅子１と本質的に異なる点は、フットレスト４が前後方向に出退可能に構成されている点であり、椅子１と同様の構成については、同一の符号を付してその説明を省略する。連動部材２０は、後端部が背凭れ部３に設けられたブラケット１２に枢支され、前端部がフットレスト４の後部に揺動支点Ｃ５によって枢支されている。
【００４３】
図１２（ｃ）に示すとおり、椅子１１を輸送するときは、背凭れ部３をリクライニングさせフットレスト４を座部２の下方に後退させた輸送姿勢であり、高さ及び前後寸法が抑えられている。この際、図１０（ｂ）に示すように、連動部材２０は最も短縮した状態である。そして、椅子１１を家屋等の使用環境に搬入してから、図１２（ａ）に示す起立姿勢となるまで、背凭れ部３を起立させるようアクチュエータ９を駆動させる。そうすると、背凭れ部３の動作に応じて第１部材２１が後方へ移動し、図１０（ａ）に示すように、ロック機構２３により連動部材２０が所定の長さで維持される。連動部材２０がいったんロックされると、アクチュエータ９を如何に駆動しようとも第１部材２１は移動しない。
【００４４】
従って、この後に背凭れ部３をリクライニングさせると、図１２（ｂ）に示すように、連動部材２０によりフットレスト４が前方へ押し出されてリクライニング姿勢となる。また、背凭れ部３を起立させると、連動部材２０によりフットレスト４が後方へ引っ張られる。このように、輸送姿勢から起立姿勢までの間は、背凭れ部３のみが移動する非連動状態であり、輸送姿勢から起立姿勢になると、以後は背凭れ部３とフットレスト４が連動して移動する連動状態に切り替わり、起立姿勢とリクライニング姿勢の間を状態遷移することとなる。
【産業上の利用可能性】
【００４５】
本発明は、背凭れ部とフットレストを連動して移動可能としつつも、姿勢の自由度を確保できる椅子に適用することができる。
【符号の説明】
【００４６】
１  椅子
２  座部
３  背凭れ部
４  フットレスト
９  アクチュエータ
１１  椅子
２０  連動部材
２３  ロック機構
【図１】
2015066194.tif 000003
【図２】
2015066194.tif 000004
【図３】
2015066194.tif 000005
【図４】
2015066194.tif 000006
【図５】
2015066194.tif 000007
【図６】
2015066194.tif 000008
【図７】
2015066194.tif 000009
【図８】
2015066194.tif 000010
【図９】
2015066194.tif 000011
【図１０】
2015066194.tif 000012
【図１１】
2015066194.tif 000013
【図１２】
2015066194.tif 000014